(57)【要約】【課題】足長測定部と足囲測定部と甲回り測定部とを有する足サイズ測定具であって、足囲や甲回りをより正確に測定できる足サイズ測定具と足サイズ測定方法を提供する。【解決手段】足サイズ測定具は、足長測定部２０と、該中心線３０と交差する直線４２ａ〜４２ｇが、該中心線３０と交差する位置が踵点Ｇから足長に対して６１．５〜７１．５％の割合の位置で、角度α１が６９．０〜７９．０度（男性用）（女性用は６８．０〜７８．０度）となるように設けられ、メジャー部挿通用の開口部４４ａ〜４４ｆが設けられた足囲測定部４０と、該中心線３０と交差する直線５２ａ〜５２ｇが、該中心線３０と交差する位置が踵点Ｇから足長に対して５１．０〜６１．０％の割合の位置で、角度β１が７５．５〜８５．５度（男性用）（女性用は７４．５〜８４．５度）となるように設けられ、メジャー部挿通用の開口部５４ａ〜５４ｆが設けられた甲回り測定部５０と、を有する。【選択図】図３
2008206916.tif 000002
【特許請求の範囲】
【請求項１】
足のサイズを測定する足サイズ測定具であって、
足長を測定するための目盛りを有し、踵の後端位置に対応する踵側の基端点とつま先側とを結ぶ直線である前後方向直線部を有する足長測定部と、
足囲を測定するための足囲測定部で、複数の足長の長さごとに、複数の足囲用挿通部で該メジャー部を挿通するための足囲用挿通部を有し、該複数の足囲用挿通部間の方向を示す仮想上の直線が該前後方向直線部と交差する位置が、踵側の基端点から対応する足長に対して６１．５〜７１．５％の割合の位置にあり、該前後方向直線部のつま先側の方向と該複数の足囲用挿通部間の方向の足の配置位置に対する内側の方向とがなす角度が、男性用の場合は６９．０〜７９．０度で、女性用の場合は６８．０〜７８．０度となるように、該足囲用挿通部が形成されている足囲測定部と、
を有することを特徴とする足サイズ測定具。
【請求項２】
足のサイズを測定する足サイズ測定具であって、
足長を測定するための目盛りを有し、踵の後端位置に対応する踵側の基端点とつま先側とを結ぶ直線である前後方向直線部を有する足長測定部と、
甲回りを測定するための甲回り測定部で、複数の足長の長さごとに、複数の甲回り用挿通部で該メジャー部を挿通するための甲回り用挿通部を有し、該複数の甲回り用挿通部間の方向を示す仮想上の直線が該前後方向直線部と交差する位置が、踵側の基端点から対応する足長に対して５１．０〜６１．０％の割合の位置にあり、該前後方向直線部のつま先側の方向と該複数の甲回り用挿通部間の方向の足の配置位置に対する内側の方向とがなす角度が、男性用の場合は７５．５〜８５．５度で、女性用の場合は７４．５〜８４．５度となるように、該甲回り用挿通部が形成されている甲回り測定部と、
を有することを特徴とする足サイズ測定具。
【請求項３】
足のサイズを測定する足サイズ測定具であって、
足長を測定するための目盛りを有し、踵の後端位置に対応する踵側の基端点とつま先側とを結ぶ直線である前後方向直線部を有する足長測定部と、
足囲を測定するための足囲測定部で、複数の足長の長さごとに、複数の足囲用挿通部で該メジャー部を挿通するための足囲用挿通部を有し、該複数の足囲用挿通部間の方向を示す仮想上の直線が該前後方向直線部と交差する位置が、踵側の基端点から対応する足長に対して６１．５〜７１．５％の割合の位置にあり、該前後方向直線部のつま先側の方向と該複数の足囲用挿通部間の方向の足の配置位置に対する内側の方向とがなす角度が、男性用の場合は６９．０〜７９．０度で、女性用の場合は６８．０〜７８．０度となるように、該足囲用挿通部が形成されている足囲測定部と、
甲回りを測定するための甲回り測定部で、複数の足長の長さごとに、複数の甲回り用挿通部で該メジャー部を挿通するための甲回り用挿通部を有し、該複数の甲回り用挿通部間の方向を示す仮想上の直線が該前後方向直線部と交差する位置が、踵側の基端点から対応する足長に対して５１．０〜６１．０％の割合の位置にあり、該前後方向直線部のつま先側の方向と該複数の甲回り用挿通部間の方向の足の配置位置に対する内側の方向とがなす角度が、男性用の場合は７５．５〜８５．５度で、女性用の場合は７４．５〜８４．５度、となるように、該甲回り用挿通部が形成されている甲回り測定部と、
を有することを特徴とする足サイズ測定具。
【請求項４】
足サイズ測定具が、１又は複数のメジャー部を有し、該メジャー部が、帯状に形成され、目盛りが表示されていることを特徴とする請求項１又は２又は３に記載の足サイズ測定具。
【請求項５】
足サイズ測定具が１枚のシート状部材により構成されていることを特徴とする請求項１又は２又は３又は４に記載の足サイズ測定具。
【請求項６】
足のサイズを測定する足サイズ測定具であって、
帯状に形成され、目盛りが表示された１又は複数のメジャー部と、
足長を測定するための目盛りを有し、踵の後端位置に対応する踵側の基端点とつま先側とを結ぶ直線である前後方向直線部を有する足長測定部と、
足囲を測定するための足囲測定部で、該前後方向直線部と交差する直線である足囲用直線が、該前後方向直線部と交差する位置が踵側の基端点から対応する足長に対して６１．５〜７１．５％の割合の位置で、該前後方向直線部のつま先側の方向と該足囲用直線における足の配置位置に対する内側の方向とがなす角度が、男性用の場合は６９．０〜７９．０度で、女性用の場合は６８．０〜７８．０度となるように、複数の足長の長さごとに設けられ、隣接する足囲用直線間の領域ごとに、複数の足囲用挿通部で該メジャー部を挿通するための足囲用挿通部が設けられた足囲測定部と、
甲回りを測定するための甲回り測定部で、該前後方向直線部と交差する直線である甲回り用直線が、該前後方向直線部と交差する位置が踵側の基端点から対応する足長に対して５１．０〜６１．０％の割合の位置で、該前後方向直線部のつま先側の方向と該甲回り用直線における足の配置位置に対する内側の方向とがなす角度が、男性用の場合は７５．５〜８５．５度で、女性用の場合は７４．５〜８４．５度となるように、複数の足長の長さごとに設けられ、隣接する甲回り用直線間の領域ごとに、複数の甲回り用挿通部で該メジャー部を挿通するための甲回り用挿通部が設けられた足囲測定部と、
を有し、
足サイズ測定具が１枚のシート状部材から構成されていることを特徴とする足サイズ測定具。
【請求項７】
上記足囲測定部において、上記割合が６６．５％で、上記角度が、男性用の場合は７４．０度で、女性用の場合は７３．０度であることを特徴とする請求項１又は３又は４又は５又は６に記載の足サイズ測定具。
【請求項８】
上記甲回り測定部において、上記割合が５６．０％で、上記角度が、男性用の場合は８０．５度で、女性用の場合は７９．５度であることを特徴とする請求項２又は３又は４又は５又は６又は７に記載の足サイズ測定具。
【請求項９】
甲回り測定部における足の配置位置の内側には、足の土踏まずの下側に空間を形成しつつ足に巻き付くための巻付け部が直線状の折れ線を基端として立ち上がるように形成されており、該巻付け部には足長の長さごとに設けられた複数の甲回り用挿通部における少なくとも１つが形成されていることを特徴とする請求項１又は２又は３又は４又は５又は６又は７又は８に記載の足サイズ測定具。
【請求項１０】
上記巻付け部の基端となる折れ線の前側が上記前後方向直線部に対して左側に傾斜していて、上記折れ線が上記前後方向直線部となす角度Ｕが、該前後方向直線部のつま先側の方向と該複数の甲回り用挿通部間の方向の足の配置位置に対する内側の方向とがなす角度、又は、該前後方向直線部のつま先側の方向と該甲回り用直線における足の配置位置に対する内側の方向とがなす角度をβとした場合に、β−Ｕ＝７１〜８１度となるように形成されていることを特徴とする請求項９に記載の足サイズ測定具。
【請求項１１】
β−Ｕが７６度であることを特徴とする請求項１０に記載の足サイズ測定具。
【請求項１２】
足サイズ測定具が、上記足長測定部と足囲測定部又は甲回り測定部とが設けられた本体領域部と、該本体領域部から連設され、足サイズ測定時に踵の後端部を接触させるために形成された踵当て部で、足サイズ測定具における上記踵側の基端点の位置に上記前後方向直線部に対して垂直な面を有する踵当て部とを有することを特徴とする請求項１又は２又は３又は４又は５又は６又は７又は８又は９又は１０又は１１に記載の足サイズ測定具。
【請求項１３】
踵当て部が組立て可能に形成されていて、上記本体領域部が後端の中央部分に凸状に突出した突状部を有し、上記踵当て部が、三角筒状部と、押さえ部とを有し、該三角筒状部が、上記踵側の基端点から後方に連設された底面板部と、該底面板部から後方に折れ線を介して連設された傾斜板部と、該傾斜板部から後方に折れ線を介して連設された垂直板部と、該垂直板部から後方に折れ線を介して連設された水平板部とを有し、底面板部と水平板部とを重ねた状態として三角形状の筒状に組み立てることにより、垂直板部が上記本体領域部に対して略垂直に立設し、該垂直板部が上記直線部に対して垂直な面となり、また、押さえ部が、本体領域部の突状部の両側に立設可能に形成され、三角筒状部の組立て状態を維持するために三角筒状部の上端の角部に係止する切欠部を有していることを特徴とする請求項１２に記載の足サイズ測定具。
【請求項１４】
足サイズ測定具の表側の面に、右足用の足長測定部と足囲測定部又は甲回り測定部とが設けられ、足サイズ測定具の裏側の面に、左足用の足長測定部と足囲測定部又は甲回り測定部とが設けられており、右足用の足囲測定部と左足用の足囲測定部とは左右対称に形成され、右足用の甲回り測定部と左足用の甲回り測定部とは左右対称に形成されていることを特徴とする請求項１又は２又は３又は４又は５又は６又は７又は８又は９又は１０又は１１又は１２又は１３に記載の足サイズ測定具。
【請求項１５】
足サイズにおける足囲を測定するための足サイズ測定方法であって、
足長を測定するための方向を示す前後方向直線部に沿って足の足長を測定する足長測定工程と、
平面視における足の踵の後端点から、足長測定工程により測定した足長に対して６１．５〜７１．５％の割合の位置で、前後方向直線部のつま先側の方向と足囲を測定するためのメジャー部の足の配置位置に対する内側の方向とがなす角度が、男性用の場合は６９．０〜７９．０度で、女性用の場合は６８．０〜７８．０度となるように、メジャー部を配置して足囲を測定する足囲測定工程と、
を有することを特徴とする足サイズ測定方法。
【請求項１６】
足サイズにおける足囲を測定するための足サイズ測定方法であって、
足長を測定するための方向を示す前後方向直線部に沿って足の足長を測定する足長測定工程と、
平面視における足の踵の後端点から、足長測定工程により測定した足長に対して５１．０〜６１．０％の割合の位置で、前後方向直線部のつま先側の方向と足囲を測定するためのメジャー部の足の配置位置に対する内側の方向とがなす角度が、男性用の場合は７５．５〜８５．５度で、女性用の場合は７４．５〜８４．５度となるように、メジャー部を配置して甲回りを測定する甲回り測定工程と、
を有することを特徴とする足サイズ測定方法。
【請求項１７】
足サイズにおける足囲を測定するための足サイズ測定方法であって、
足長を測定するための方向を示す前後方向直線部に沿って足の足長を測定する足長測定工程と、
平面視における足の踵の後端点から、足長測定工程により測定した足長に対して６１．５〜７１．５％の割合の位置で、前後方向直線部のつま先側の方向と足囲を測定するためのメジャー部の足の配置位置に対する内側の方向とがなす角度が、男性用の場合は６９．０〜７９．０度で、女性用の場合は６８．０〜７８．０度となるように、メジャー部を配置して足囲を測定する足囲測定工程と、
平面視における足の踵の後端点から、足長測定工程により測定した足長に対して５１．０〜６１．０％の割合の位置で、前後方向直線部のつま先側の方向と足囲を測定するためのメジャー部の足の配置位置に対する内側の方向とがなす角度が、男性用の場合は７５．５〜８５．５度で、女性用の場合は７４．５〜８４．５度となるように、メジャー部を配置して甲回りを測定する甲回り測定工程と、
を有することを特徴とする足サイズ測定方法。
【請求項１８】
上記足囲測定工程において、上記割合が６６．５％で、上記角度が、男性用の場合は７４．０度で、女性用の場合は７３．０度であることを特徴とする請求項１５又は１７に記載の足サイズ測定方法。
【請求項１９】
上記甲回り測定工程において、上記割合が５６．０％で、上記角度が、男性用の場合は８０．５度で、女性用の場合は７９．５度であることを特徴とする請求項１６又は１７に記載の足サイズ測定方法。
【発明の詳細な説明】
【技術分野】
【０００１】
本発明は、足のサイズを測定する測定具に関するものである。
【背景技術】
【０００２】
従来より、靴販売店等において靴をオーダーメイドする場合には、靴販売員がメジャーを用いて足のサイズを測定していた。
【０００３】
また、足サイズ測定具に関して、特許文献１に示す件が出願されている。この特許文献１に示す足サイズ測定具においては、足長を測定するための足長測定部と、足囲を測定するための足囲測定部と、甲回りを測定するための甲回り測定部とが設けられている。
【特許文献１】特開２００１−２０４５１０号公報
【発明の開示】
【発明が解決しようとする課題】
【０００４】
しかし、靴販売店において靴をオーダーメイドする場合、測定をする靴販売員には足測定及び靴に関する専門知識が必要となってくる。
【０００５】
また、上記特許文献１に記載の足サイズ測定具によって、測定をする靴販売員に足測定及び靴に関する専門知識が必要となるという問題は解決されたが、特許文献１に記載の足サイズ測定具においては、足囲測定部が、足長測定部の目盛りの配置方向に対して足型の親指側に若干傾斜した角度をなしているとしているのみであり、また、甲回り測定部は、足長測定部の目盛りの配置方向に対して略直角方向に配置されているとしているのみであり、足囲測定部や甲回り測定部の配置位置や各目盛りの角度が必ずしも厳密ではないため、足囲や甲回りをより正確に測定するには必ずしも十分ではなく、足囲や甲回りをより正確に測定することができる測定具が要望されていた。
【０００６】
また、人間の足には、土踏まずの高低があり、甲回りの位置の足の周囲長が同じ場合であっても、土踏まずが高い場合には、甲は高くなることから、単に足の甲回りの位置の周囲長を測定するのみでは甲回りの測定としては十分ではなく、甲回りをより正確に測定することができる測定具が要望されていた。
【０００７】
そこで、本発明は、足長測定部と足囲測定部と甲回り測定部とを有する足サイズ測定具であって、足囲や甲回りをより正確に測定することにより足サイズをより正確に測定することができる足サイズ測定具と足サイズ測定方法を提供することを目的とするものである。
【課題を解決するための手段】
【０００８】
本発明は上記問題点を解決するために創作されたものであって、第１には、足のサイズを測定する足サイズ測定具であって、足長を測定するための目盛りを有し、踵の後端位置に対応する踵側の基端点とつま先側とを結ぶ直線である前後方向直線部を有する足長測定部と、足囲を測定するための足囲測定部で、複数の足長の長さごとに、複数の足囲用挿通部で該メジャー部を挿通するための足囲用挿通部を有し、該複数の足囲用挿通部間の方向を示す仮想上の直線が該前後方向直線部と交差する位置が、踵側の基端点から対応する足長に対して６１．５〜７１．５％の割合の位置にあり、該前後方向直線部のつま先側の方向と該複数の足囲用挿通部間の方向の足の配置位置に対する内側の方向とがなす角度が、男性用の場合は６９．０〜７９．０度で、女性用の場合は６８．０〜７８．０度となるように、該足囲用挿通部が形成されている足囲測定部と、を有することを特徴とする。
【０００９】
上記第１の構成の構成の足サイズ測定具においては、足長測定部により足長を測定する。その後、その足長に対応した足囲用挿通部にメジャー部を挿通し、メジャー部を足に巻いて足囲を測定する。
【００１０】
上記第１の構成の足サイズ測定具によれば、足囲用挿通部が、踵側の基端点から足長に対して上記の割合の位置で、かつ、前後方向直線部に対して上記の角度で形成されているので、極めて正確に足囲を測定することができる。すなわち、本願の発明者が見い出した足長に対する割合と、前後方向直線部に対する角度とに基づいて、足囲挿通部が形成されているので、極めて正確に足囲を測定することができる。
【００１１】
また、第２には、足のサイズを測定する足サイズ測定具であって、足長を測定するための目盛りを有し、踵の後端位置に対応する踵側の基端点とつま先側とを結ぶ直線である前後方向直線部を有する足長測定部と、甲回りを測定するための甲回り測定部で、複数の足長の長さごとに、複数の甲回り用挿通部で該メジャー部を挿通するための甲回り用挿通部を有し、該複数の甲回り用挿通部間の方向を示す仮想上の直線が該前後方向直線部と交差する位置が、踵側の基端点から対応する足長に対して５１．０〜６１．０％の割合の位置にあり、該前後方向直線部のつま先側の方向と該複数の甲回り用挿通部間の方向の足の配置位置に対する内側の方向とがなす角度が、男性用の場合は７５．５〜８５．５度で、女性用の場合は７４．５〜８４．５度となるように、該甲回り用挿通部が形成されている甲回り測定部と、を有することを特徴とする。
【００１２】
上記第２の構成の足サイズ測定具においては、足長測定部により足長を測定する。その後、その足長に対応した甲回り挿通部にメジャー部を挿通し、メジャー部を足に巻いて甲回りを測定する。
【００１３】
上記第２の構成の足サイズ測定具によれば、甲回り用挿通部が、踵側の基端点から足長に対して上記の割合の位置で、かつ、前後方向直線部に対して上記の角度で形成されているので、極めて正確に甲回りを測定することができる。すなわち、本願の発明者が見い出した足長に対する割合と、前後方向直線部に対する角度とに基づいて、甲回り挿通部が形成されているので、極めて正確に甲回りを測定することができる。
【００１４】
また、第３には、足のサイズを測定する足サイズ測定具であって、足長を測定するための目盛りを有し、踵の後端位置に対応する踵側の基端点とつま先側とを結ぶ直線である前後方向直線部を有する足長測定部と、足囲を測定するための足囲測定部で、複数の足長の長さごとに、複数の足囲用挿通部で該メジャー部を挿通するための足囲用挿通部を有し、該複数の足囲用挿通部間の方向を示す仮想上の直線が該前後方向直線部と交差する位置が、踵側の基端点から対応する足長に対して６１．５〜７１．５％の割合の位置にあり、該前後方向直線部のつま先側の方向と該複数の足囲用挿通部間の方向の足の配置位置に対する内側の方向とがなす角度が、男性用の場合は６９．０〜７９．０度で、女性用の場合は６８．０〜７８．０度となるように、該足囲用挿通部が形成されている足囲測定部と、甲回りを測定するための甲回り測定部で、複数の足長の長さごとに、複数の甲回り用挿通部で該メジャー部を挿通するための甲回り用挿通部を有し、該複数の甲回り用挿通部間の方向を示す仮想上の直線が該前後方向直線部と交差する位置が、踵側の基端点から対応する足長に対して５１．０〜６１．０％の割合の位置にあり、該前後方向直線部のつま先側の方向と該複数の甲回り用挿通部間の方向の足の配置位置に対する内側の方向とがなす角度が、男性用の場合は７５．５〜８５．５度で、女性用の場合は７４．５〜８４．５度、となるように、該甲回り用挿通部が形成されている甲回り測定部と、を有することを特徴とする。
【００１５】
上記第３の構成の足サイズ測定具においては、足長測定部により足長を測定する。その後、その足長に対応した足囲用挿通部にメジャー部を挿通させるとともに、足長に対応した甲回り挿通部にメジャー部を挿通し、それぞれのメジャー部を足に巻いて足囲と甲回りを測定する。
【００１６】
上記第３の構成の足サイズ測定具によれば、足囲用挿通部が、踵側の基端点から足長に対して上記の割合の位置で、かつ、前後方向直線部に対して上記の角度で形成されているので、極めて正確に足囲を測定することができ、また、甲回り用挿通部が、踵側の基端点から足長に対して上記の割合の位置で、かつ、前後方向直線部に対して上記の角度で形成されているので、極めて正確に甲回りを測定することができる。すなわち、本願の発明者が見い出した足長に対する割合と、前後方向直線部に対する角度とに基づいて、足囲挿通部と甲回り挿通部が形成されているので、極めて正確に足囲と甲回りを測定することができる。
【００１７】
また、第４には、上記第１から第３までのいずれかの構成において、足サイズ測定具が、１又は複数のメジャー部を有し、該メジャー部が、帯状に形成され、目盛りが表示されていることを特徴とする。このメジャー部を用いることにより、足囲や甲回りを測定することができる。
【００１８】
また、第５には、上記第１から第４までのいずれかの構成において、足サイズ測定具が１枚のシート状部材により構成されていることを特徴とする。
【００１９】
また、第６には、足のサイズを測定する足サイズ測定具であって、帯状に形成され、目盛りが表示された１又は複数のメジャー部と、足長を測定するための目盛りを有し、踵の後端位置に対応する踵側の基端点とつま先側とを結ぶ直線である前後方向直線部を有する足長測定部と、足囲を測定するための足囲測定部で、該前後方向直線部と交差する直線である足囲用直線が、該前後方向直線部と交差する位置が踵側の基端点から対応する足長に対して６１．５〜７１．５％の割合の位置で、該前後方向直線部のつま先側の方向と該足囲用直線における足の配置位置に対する内側の方向とがなす角度が、男性用の場合は６９．０〜７９．０度で、女性用の場合は６８．０〜７８．０度となるように、複数の足長の長さごとに設けられ、隣接する足囲用直線間の領域ごとに、複数の足囲用挿通部で該メジャー部を挿通するための足囲用挿通部が設けられた足囲測定部と、甲回りを測定するための甲回り測定部で、該前後方向直線部と交差する直線である甲回り用直線が、該前後方向直線部と交差する位置が踵側の基端点から対応する足長に対して５１．０〜６１．０％の割合の位置で、該前後方向直線部のつま先側の方向と該甲回り用直線における足の配置位置に対する内側の方向とがなす角度が、男性用の場合は７５．５〜８５．５度で、女性用の場合は７４．５〜８４．５度となるように、複数の足長の長さごとに設けられ、隣接する甲回り用直線間の領域ごとに、複数の甲回り用挿通部で該メジャー部を挿通するための甲回り用挿通部が設けられた足囲測定部と、を有し、足サイズ測定具が１枚のシート状部材から構成されていることを特徴とする。
【００２０】
上記第６の構成の足サイズ測定具においては、足長測定部により足長を測定する。その後、その足長に対応した足囲用挿通部にメジャー部を挿通させるとともに、足長に対応した甲回り挿通部にメジャー部を挿通し、それぞれのメジャー部を足に巻いて足囲と甲回りを測定する。
【００２１】
上記第６の構成の足サイズ測定具によれば、足囲用挿通部が、踵側の基端点から足長に対して上記の割合の位置で、かつ、前後方向直線部に対して上記の角度で形成されているので、極めて正確に足囲を測定することができ、また、甲回り用挿通部が、踵側の基端点から足長に対して上記の割合の位置で、かつ、前後方向直線部に対して上記の角度で形成されているので、極めて正確に甲回りを測定することができる。すなわち、本願の発明者が見い出した足長に対する割合と、前後方向直線部に対する角度とに基づいて、足囲挿通部と甲回り挿通部が形成されているので、足囲と甲回りを極めて正確に測定することができる。
【００２２】
また、第７には、上記第１又は第３から第６までのいずれかの構成において、上記足囲測定部において、上記割合が６６．５％で、上記角度が、男性用の場合は７４．０度で、女性用の場合は７３．０度であることを特徴とする。よって、足囲を極めて正確に測定することができる。
【００２３】
また、第８には、上記第２から第７までのいずれかの構成において、上記甲回り測定部において、上記割合が５６．０％で、上記角度が、男性用の場合は８０．５度で、女性用の場合は７９．５度であることを特徴とする。よって、甲回りを極めて正確に測定することができる。
【００２４】
また、第９には、上記第１から第８までのいずれかの構成において、甲回り測定部における足の配置位置の内側には、足の土踏まずの下側に空間を形成しつつ足に巻き付くための巻付け部が直線状の折れ線を基端として立ち上がるように形成されており、該巻付け部には足長の長さごとに設けられた複数の甲回り用挿通部における少なくとも１つが形成されていることを特徴とする。
【００２５】
この第９の構成においては、メジャー部を巻付け部に設けられている甲回り挿通部に挿通した上でメジャー部を足に巻くと、巻付け部が立ち上がって、足の土踏まずの下側に空間を形成しつつ足に巻き付く。これにより、靴の内壁の径を設定する場合に、通常足の土踏まずの下側に空間を形成するが、この空間を考慮して甲回りを測定することができ、より適切に甲回りを測定することができる。
【００２６】
また、第１０には、上記第９の構成において、上記巻付け部の基端となる折れ線の前側が上記前後方向直線部に対して左側に傾斜していて、上記折れ線が上記前後方向直線部となす角度Ｕが、該前後方向直線部のつま先側の方向と該複数の甲回り用挿通部間の方向の足の配置位置に対する内側の方向とがなす角度、又は、該前後方向直線部のつま先側の方向と該甲回り用直線における足の配置位置に対する内側の方向とがなす角度をβとした場合に、β−Ｕ＝７１〜８１度となるように形成されていることを特徴とする。よって、甲回りを正確に測定することができる。
【００２７】
また、第１１には、上記第１０の構成において、β−Ｕが７６度であることを特徴とする。よって、甲回りをより正確に測定することができる。
【００２８】
また、第１２には、上記第１から第１１までのいずれかの構成において、足サイズ測定具が、上記足長測定部と足囲測定部又は甲回り測定部とが設けられた本体領域部と、該本体領域部から連設され、足サイズ測定時に踵の後端部を接触させるために形成された踵当て部で、足サイズ測定具における上記踵側の基端点の位置に上記前後方向直線部に対して垂直な面を有する踵当て部とを有することを特徴とする。よって、上記前後方向直線部に対する垂直な面に踵の後端部を接触させることにより、踵の後端を前後方向に踵側の基端点の位置に正確に位置させることができ、足長、足囲、甲回りの測定を正確に行うことができる。
【００２９】
また、第１３には、上記第１２の構成において、踵当て部が組立て可能に形成されていて、上記本体領域部が後端の中央部分に凸状に突出した突状部を有し、上記踵当て部が、三角筒状部と、押さえ部とを有し、該三角筒状部が、上記踵側の基端点から後方に連設された底面板部と、該底面板部から後方に折れ線を介して連設された傾斜板部と、該傾斜板部から後方に折れ線を介して連設された垂直板部と、該垂直板部から後方に折れ線を介して連設された水平板部とを有し、底面板部と水平板部とを重ねた状態として三角形状の筒状に組み立てることにより、垂直板部が上記本体領域部に対して略垂直に立設し、該垂直板部が上記直線部に対して垂直な面となり、また、押さえ部が、本体領域部の突状部の両側に立設可能に形成され、三角筒状部の組立て状態を維持するために三角筒状部の上端の角部に係止する切欠部を有していることを特徴とする。
【００３０】
よって、底面板部と、傾斜板部と、垂直板部と、水平板部とを筒状にして、押さえ部を三角筒状部に掛止するのみで、組み立てることができるので、踵当て部の組立てを非常に容易に行うことができる。
【００３１】
また、第１４には、上記第１から第１３までのいずれかの構成において、足サイズ測定具の表側の面に、右足用の足長測定部と足囲測定部又は甲回り測定部とが設けられ、足サイズ測定具の裏側の面に、左足用の足長測定部と足囲測定部又は甲回り測定部とが設けられており、右足用の足囲測定部と左足用の足囲測定部とは左右対称に形成され、右足用の甲回り測定部と左足用の甲回り測定部とは左右対称に形成されていることを特徴とする。
【００３２】
よって、１つの足サイズ測定具により、右足と左足の両方の足サイズを測定することができる。また、足囲測定部又は甲回り測定部が左右対称に形成されているので、足囲用挿通部と甲回り挿通部を表側と裏側とで共通にでき共有することができる。
【００３３】
なお、他の構成として、上記各構成において、足サイズ測定具が、略長方形状のシート状部材により形成され、上記メジャー部がシート状部材の長手辺に沿って形成され、上記本体領域部と上記踵当て部とが設けられた測定具本体部と、測定具本体部に隣接して設けられた測定具副体部で、測定手順を説明する測定手順説明表示部と、測定した足長、足囲及び甲回りを記入するとともに、問診内容を表示するとともに、問診に対する回答を記入することができる問診内容・記入欄表示部とが設けられた測定具副体部とを有することを特徴とするものとしてもよい。よって、測定手順説明表示部により測定手順を知ることができ、また、問診内容・記入欄表示部に記入することにより、靴のオーダーメイド等に使用することができる。
【００３４】
また、他の構成として、上記各構成において、足囲及び甲回りの測定を補助するための補助部材であって、メジャー部の一方の端部を挿通するための第１挿通部で一対の開口部又は切込み部により形成された第１挿通部と、メジャー部の他方の端部を挿通するための第２挿通部で一対の開口部又は切込み部により形成された第２挿通部とが隣接して設けられていることを特徴とするものとしてもよい。この補助部材により、足囲や甲回りを正確に測定することが可能となる。
【００３５】
また、他の構成として、上記各構成において、上記足囲用挿通部及び上記甲回り用挿通部が、開口部又は切込み部により形成されていることを特徴とするものとしてもよい。
【００３６】
また、第１５には、足サイズにおける足囲を測定するための足サイズ測定方法であって、足長を測定するための方向を示す前後方向直線部に沿って足の足長を測定する足長測定工程と、平面視における足の踵の後端点から、足長測定工程により測定した足長に対して６１．５〜７１．５％の割合の位置で、前後方向直線部のつま先側の方向と足囲を測定するためのメジャー部の足の配置位置に対する内側の方向とがなす角度が、男性用の場合は６９．０〜７９．０度で、女性用の場合は６８．０〜７８．０度となるように、メジャー部を配置して足囲を測定する足囲測定工程と、を有することを特徴とする。
【００３７】
第１５の構成の足サイズ測定方法によれば、足長測定工程において測定した足長に基づいて、足囲測定工程において足囲を測定するが、踵側の基端点から足長に対して上記の割合の位置で、かつ、前後方向直線部に対して上記の角度で測定するので、極めて正確に足囲を測定することができる。すなわち、本願の発明者が見い出した足長に対する割合と角度とに基づいて測定を行うので、足の足囲を極めて正確に測定することができる。
【００３８】
また、第１６には、足サイズにおける足囲を測定するための足サイズ測定方法であって、足長を測定するための方向を示す前後方向直線部に沿って足の足長を測定する足長測定工程と、平面視における足の踵の後端点から、足長測定工程により測定した足長に対して５１．０〜６１．０％の割合の位置で、前後方向直線部のつま先側の方向と足囲を測定するためのメジャー部の足の配置位置に対する内側の方向とがなす角度が、男性用の場合は７５．５〜８５．５度で、女性用の場合は７４．５〜８４．５度となるように、メジャー部を配置して甲回りを測定する甲回り測定工程と、を有することを特徴とする。
【００３９】
第１６の構成の足サイズ測定方法によれば、足長測定工程において測定した足長に基づいて、甲回り測定工程において甲回りを測定するが、踵側の基端点から足長に対して上記の割合の位置で、かつ、前後方向直線部に対して上記の角度で測定するので、極めて正確に甲回りを測定することができる。すなわち、本願の発明者が見い出した足長に対する割合と角度とに基づいて測定を行うので、足の甲回りを極めて正確に測定することができる。
【００４０】
また、第１７には、足サイズにおける足囲を測定するための足サイズ測定方法であって、足長を測定するための方向を示す前後方向直線部に沿って足の足長を測定する足長測定工程と、平面視における足の踵の後端点から、足長測定工程により測定した足長に対して６１．５〜７１．５％の割合の位置で、前後方向直線部のつま先側の方向と足囲を測定するためのメジャー部の足の配置位置に対する内側の方向とがなす角度が、男性用の場合は６９．０〜７９．０度で、女性用の場合は６８．０〜７８．０度となるように、メジャー部を配置して足囲を測定する足囲測定工程と、平面視における足の踵の後端点から、足長測定工程により測定した足長に対して５１．０〜６１．０％の割合の位置で、前後方向直線部のつま先側の方向と足囲を測定するためのメジャー部の足の配置位置に対する内側の方向とがなす角度が、男性用の場合は７５．５〜８５．５度で、女性用の場合は７４．５〜８４．５度となるように、メジャー部を配置して甲回りを測定する甲回り測定工程と、を有することを特徴とする。
【００４１】
第１７の構成の足サイズ測定方法によれば、足長測定工程において測定した足長に基づいて、足囲測定工程において足囲を測定し、甲回り測定工程において甲回りを測定するが、踵側の基端点から足長に対して上記の割合の位置で、かつ、前後方向直線部に対して上記の角度で測定するので、極めて正確に足囲と甲回りを測定することができる。すなわち、本願の発明者が見い出した足長に対する割合と角度とに基づいて測定を行うので、足の足囲と甲回りを極めて正確に測定することができる。
【００４２】
また、第１８には、上記第１５又は第１７の構成において、上記足囲測定工程において、上記割合が６６．５％で、上記角度が、男性用の場合は７４．０度で、女性用の場合は７３．０度であることを特徴とする。
【００４３】
また、第１９には、上記第１６又は第１７の構成において、上記甲回り測定工程において、上記割合が５６．０％で、上記角度が、男性用の場合は８０．５度で、女性用の場合は７９．５度であることを特徴とする。
【発明の効果】
【００４４】
本発明に基づく足サイズ測定具及び足サイズ測定方法によれば、踵側の基端点から足長に対して上記の割合の位置で、かつ、前後方向直線部に対して上記の角度で測定するので、極めて正確に足囲及び／又は甲回りを測定することができる。つまり、足囲においては、男性の場合には、足長に対して６１．５〜７１．５％の割合の位置で、６９．０〜７９．０度の角度で測定を行い、また、女性の場合には、足長に対して６１．５〜７１．５％の割合の位置で、６８．０〜７８．０度の角度で測定を行い、また、甲回りにおいては、男性の場合には、足長に対して５１．０〜６１．０％の割合の位置で、７５．５〜８５．５度の角度で測定を行い、また、女性の場合には、足長に対して５１．０〜６１．０％の割合の位置で、７４．５〜８４．５度の角度で測定を行い、本願の発明者が見い出した足長に対する割合と角度とに基づいて測定を行うので、足の足囲と甲回りを極めて正確に測定することができる。
【発明を実施するための最良の形態】
【００４５】
本発明においては、足長測定部と足囲測定部と甲回り測定部とを有する足サイズ測定具であって、足囲や甲回りをより正確に測定することにより足サイズをより正確に測定することができる足サイズ測定具を提供するという目的を以下のようにして実現した。
【００４６】
本発明に基づく足サイズ測定具１は、図１〜図８に示すように構成され、全体に略長方形状を呈し、シート状部材、具体的には、紙材により形成されている構成され、測定具本体部１Ａと、測定具副体部１Ｂと、メジャー部２３０、２４０、２５０とから構成されている。なお、図において、Ｙ１−Ｙ２方向は、Ｘ１−Ｘ２方向に対して直角の方向を示している。
【００４７】
この測定具本体部１Ａは、図１、図２に示すように、本体領域部５と、踵当て部７０とを有していて、本体領域部５の表側の面には、図１に示すように、足型表示部１０と、足長測定部２０と、足囲測定部４０と、甲回り測定部５０と、記入欄６８とを有し、本体領域部５の裏側の面には、図２に示すように、足型表示部１１０と、足長測定部１２０と、足囲測定部１４０と、甲回り測定部１５０と、記入欄１６８とを有している。
【００４８】
また、測定具副体部１Ｂは、測定手順・問診票表示部２００と、はがき部２１０と、測定補助パーツ２２０（補助部材）とを有している。
【００４９】
足サイズ測定具１は、略長方形状を呈し、シート状部材、具体的には、紙材により形成されている。
【００５０】
なお、図１、図２において、点線は切断用のミシン目を示し、一点鎖線は折れ線を示している。
【００５１】
なお、足サイズ測定具１は、実際には、男性用と女性用とが設けられるが、足囲測定部４０（１４０）を構成する直線が中心線３０（１３０）となす角度と、甲回り測定部５０（１５０）を構成する直線が中心線３０（１３０）となす角度とが異なるのみで他は同じ構成であるので、男性用の足サイズ測定具と女性用の足サイズ測定具とを同時に説明する。
【００５２】
まず、測定具本体部１Ａの各部について説明する。本体領域部５は、縦長長方形状の下端に台形形状を連ねた形状を呈し、本体領域部５の足型表示部１０は、人間の足の裏の外形をかたどった周状の曲線を描いたものであり、足の大きさに合わせて複数の足型が表示されている。この複数の足型は、踵の位置を揃えて表示されている。これらの足型は、足型のつま先の先端と足型の踵の先端を結ぶ方向が長手方向（Ｘ１−Ｘ２方向）を向くように配置されている。なお、図１において、Ｘ１−Ｘ２方向は長手方向を示し、足サイズ測定具１の左右の辺部と平行となっていて、Ｙ１−Ｙ２方向は短手方向を示し、足サイズ測定具１の上下の辺部と平行となっている。Ｙ１−Ｙ２方向はＸ１−Ｘ２方向に対して直角の方向である。なお、本体領域部５の表側の面は、右足用のものであるので、足型表示部１０における足型も右足の形状に形成されている。
【００５３】
なお、図１の例では、足長が２９ｃｍの足型と足長が２３ｃｍの足型とが表示されているが、これには限らず、各足長ごとの足型を表示する構成とするのが好ましい。例えば、図１の例において、足長が２９ｃｍの足型と足長が２３ｃｍの足型のみならず、足長が２４ｃｍの足型と、足長が２５ｃｍの足型と、足長が２６ｃｍの足型と、足長が２７ｃｍの足型と、足長が２８ｃｍの足型とを表示する。
【００５４】
また、この足型は、靴を製作する際に使用する木型（プラスチック製の型）を製作する際に用いるＣＡＤを使用して、各足長の足型を製作したものであり、各足長に対応する木型を平面視した際の輪郭に相当しているといえる。
【００５５】
また、足長測定部２０は、中心線３０（前後方向直線部）と、目盛り表示部３２とを有している。この中心線３０は、足型のつま先の先端と足型の踵の先端である踵点Ｇ（基端点）とを結んだ直線であり、この中心線３０は、Ｘ１−Ｘ２方向を向いている。この踵点Ｇは、踵の後端位置（つまり、踵を側方から見た場合の最も後方の位置で、通常足を置いた床面よりも上方の位置となる）に対応した位置であり、床面に接地している足の部分の後端位置とは異なる。
【００５６】
また、目盛り表示部３２は、中心線３０に対して直角方向の直線３２ａを複数平行に表示するとともに、各直線ごとに足長の長さを表示する表示部（例えば、２３０等）を表示したものである。また、各直線間には、１ｍｍごとの目盛りが表示されている（図３参照）。なお、図１の例では、直線３２ａが２３．０ｃｍ〜２９．０ｃｍまで１．０ｃｍおきに表示されているが、複数の直線３２ａの間隔は他の間隔でもよく、例えば、０．５ｃｍおきに表示してもよい。また、図１の例では、２３．０ｃｍ〜２９．０ｃｍまでの範囲で表示しているが、他の範囲で表示してもよい。
【００５７】
また、足囲測定部４０は、複数の平行な直線から構成された直線群４２と、直線群４２における隣接し合う一対の直線間の領域ごとに設けられた開口部４４ａ〜４４ｆ（足囲用挿通部）とを有している。
【００５８】
ここで、直線群４２は、直線４２ａ〜４２ｇ（足囲用直線）により構成され、直線４２ａ〜４２ｇにおける各直線は互いに平行に配設されている。また、直線４２ａ〜４２ｇにおける各直線は、中心線３０に対して足型の親指側に対して傾斜した角度をなしている。
【００５９】
直線４２ａ〜４２ｇの形成の方法について以下に説明する。まず、足サイズ測定具１が男性用の場合について説明する。
【００６０】
足長が２３．０ｃｍ以上２４．０ｃｍ未満に対応する領域を形成する直線４２ａと直線４２ｂを例にとって図７を利用して説明すると、まず、直線４２ａについては、中心線３０において、基準足長ａ１（ここでは、直線４２ａは足長が２３．０ｃｍに対応する直線であるので、２３．０ｃｍとする）に対してＭ１％（具体的には、６１．５〜７１．５％（好適には６６．５％））の長さｂ１（すなわち、ａ１×Ｍ１／１００の長さ）を踵点Ｇからとって点Ｐ１を得る。そして、この点Ｐ１を通る直線で、中心線３０に対して角度α１（具体的には、６９．０〜７９．０度（好適には、７４．０度））をなす直線を直線４２ａとする。
【００６１】
同じように、直線４２ｂについては、中心線３０において、基準足長ａ１（ここでは、直線４２ｂは足長が２５．０ｃｍに対応する直線であるので、２５．０ｃｍとする）に対してＭ１％（具体的には、６１．５〜７１．５％（好適には６６．５％））の長さｂ１（すなわち、ａ１×Ｍ１／１００の長さ）を踵点Ｇからとって点を得て、その点を通る直線で、中心線３０に対して角度α１（具体的には、６９．０〜７９．０度（好適には、７４．０度））をなす直線を直線４２ｂとする。
【００６２】
以下同様にして、基準足長２６．０ｃｍ、２７．０ｃｍ、２８．０ｃｍ、２９．０ｃｍのそれぞれについて、踵点から基準足長に対してＭ１％の長さの点をとり、その点を通る直線で、中心線３０に対して角度α１（具体的には、６９．０〜７９．０度（好適には、７４．０度））をなす直線を直線群４２を構成する直線としていく。これにより、直線４２ｃは、足長２６．０ｃｍに対応する直線となり、直線４２ｄは、足長２７．０ｃｍに対応する直線となり、直線４２ｅは、足長２８．０ｃｍに対応する直線となり、直線４２ｆは、足長３０．０ｃｍに対応する直線となる。
【００６３】
なお、直線群４２を構成する各直線を得る際には、上記Ｍ１％や角度α１は、各直線について同じにする。
【００６４】
また、開口部４４ａ〜４４ｆ（足囲用挿通部）は、略円形の開口部であり、直線群４２を構成する直線における隣接し合う一対の直線間の領域ごとに設けられ、各領域ごとに左右一対の開口部が設けられている。例えば、一対の開口部４４ａが、直線４２ａと直線４２ｂ間の領域内に設けられ、一対の開口部４４ｂが、直線４２ｂと直線４２ｃ間の領域内に設けられ、一対の開口部４４ｃが、直線４２ｃと直線４２ｄ間の領域内に設けられ、一対の開口部４４ｄが、直線４２ｄと直線４２ｅ間の領域内に設けられ、一対の開口部４４ｅが、直線４２ｅと直線４２ｆ間の領域内に設けられ、一対の開口部４４ｆが、直線４２ｆと直線４２ｇ間の領域内に設けられている。
【００６５】
なお、開口部４４ａ〜４４ｆにおける各開口部は、対応する足長の足型よりも内側に設ける。例えば、開口部４４ａは、足長が２３．０ｃｍ以上２４．０ｃｍ未満の場合に対応するので、足長が２３．０ｃｍの足型の内側に形成する。
【００６６】
なお、直線４２ａ〜４２ｇにおける互いに隣接する２つの直線と平行な直線で２つの直線の中間にある直線は、開口部４４ａ〜４４ｆにおける一対の開口部間の方向を示す仮想上の直線といえるが、該直線が中心線３０と交差する位置が踵側の基端点から対応する足長に対して６１．５〜７１．５％の割合の位置にあり、中心線３０のつま先側の方向と該一対の開口部間の方向の足の配置位置に対する内側の方向とがなす角度が、６９．０〜７９．０度となるように、開口部４４ａ〜４４ｆが形成されているといえる。
【００６７】
なお、開口部４４ａ〜４４ｆにおける各開口部は、対応する一対の直線内の領域に形成しなくても、該一対の直線内の領域から略均等にはみ出すように形成してもよい。つまり、メジャー部２３０、２４０、２５０の幅に従いメジャー部を開口部に挿通しやすくするために、開口部が配置される一対の直線内の領域から略均等にはみ出すように形成してもよい。例えば、開口部４４ａは、直線４２ａと直線４２ｂ間の領域に形成されているが、直線４２ａの下側と直線４２ｂの上側に略均等にはみ出すように形成してもよい。
【００６８】
なお、足サイズ測定具１が女性用の場合には、男性用の場合と略同様であるが、角度α１の代わりに角度α２を用い（図８参照）、角度α２は６８．０〜７８．０度（好適には、７３．０度）となる。直線群４２を構成する各直線が中心線となす角度が異なる以外は男性用の場合と同様であるので詳しい説明を省略する。
【００６９】
また、甲回り測定部５０は、足囲測定部４０よりも踵側に形成されていて、複数の平行な直線から構成された直線群５２と、直線群５２における隣接し合う一対の直線間の領域ごとに設けられた開口部５４ａ〜５４ｆ（甲回り用挿通部）と、ミシン目６０と、ミシン目６２と、折れ線６４とを有している。
【００７０】
ここで、直線群５２は、直線５２ａ〜５２ｇ（甲回り用直線）により構成され、直線５２ａ〜５２ｇにおける各直線は互いに平行に配設されている。また、直線５２ａ〜５２ｇにおける各直線は、中心線３０に対して足型の親指側に対して傾斜した角度をなしている。
【００７１】
直線５２ａ〜５２ｇの形成の方法について以下に説明する。まず、足サイズ測定具１が男性用の場合について説明する。
【００７２】
足長が２３．０ｃｍ以上２４．０ｃｍ未満に対応する領域を形成する直線５２ａと直線５２ｂを例にとって図７を利用して説明すると、まず、直線５２ａについては、中心線３０において、基準足長ａ１（ここでは、直線５２ａは足長が２３．０ｃｍに対応する直線であるので、２３．０ｃｍとする）に対してＭ２％（具体的には、５１．０〜６１．０％（好適には５６．０％））の長さｃ１（すなわち、ａ１×Ｍ２／１００の長さ）を踵点Ｇからとって点Ｐ２を得る。そして、この点Ｐ２を通る直線で、中心線３０に対して角度β１（具体的には、７５．５〜８５．５度（好適には、８０．５度））をなす直線を直線５２ａとする。
【００７３】
同じように、直線５２ｂについては、中心線３０において、基準足長ａ１（ここでは、直線５２ｂは足長が２５．０ｃｍに対応する直線であるので、２５．０ｃｍとする）に対してＭ２％（具体的には、５１．０〜６１．０％（好適には５６．０％））の長さｃ１（すなわち、ａ１×Ｍ２／１００の長さ）を踵点Ｇからとって点を得て、その点を通る直線で、中心線３０に対して角度β１（具体的には、７５．５〜８５．５度（好適には、８０．５度））をなす直線を直線５２ｂとする。
【００７４】
以下同様にして、基準足長２６．０ｃｍ、２７．０ｃｍ、２８．０ｃｍ、２９．０ｃｍのそれぞれについて、踵点から基準足長に対してＭ２％の長さの点をとり、その点を通る直線で、中心線３０に対して角度β１（具体的には、７５．５〜８５．５度（好適には、８０．５度））をなす直線を直線群５２を構成する直線としていく。これにより、直線５２ｃは、足長２６．０ｃｍに対応する直線となり、直線５２ｄは、足長２７．０ｃｍに対応する直線となり、直線５２ｅは、足長２８．０ｃｍに対応する直線となり、直線５２ｆは、足長３０．０ｃｍに対応する直線となる。
【００７５】
なお、直線群５２を構成する各直線を得る際には、上記Ｍ２％や角度β１は、各直線について同じにする。
【００７６】
また、開口部５４ａ〜５４ｆ（甲回り用挿通部）は、略円形の開口部であり、直線群５２を構成する直線における隣接し合う一対の直線間の領域ごとに設けられ、各領域ごとに３つの開口部が設けられている。例えば、３つの開口部５４ａが、直線５２ａと直線５２ｂ間の領域内に設けられ、３つの開口部５４ｂが、直線５２ｂと直線５２ｃ間の領域内に設けられ、３つの開口部５４ｃが、直線５２ｃと直線５２ｄ間の領域内に設けられ、３つの開口部５４ｄが、直線５２ｄと直線５２ｅ間の領域内に設けられ、３つの開口部５４ｅが、直線５２ｅと直線５２ｆ間の領域内に設けられ、３つの開口部５４ｆが、直線５２ｆと直線５２ｇ間の領域内に設けられている。
【００７７】
なお、開口部５４ａ〜５４ｆにおいて、３つの開口部のうちの１つの開口部は中心線３０よりも右側にあり、対応する足型よりも内側に設けられている。また、２つの開口部は中心線３０よりも左側に存在し、中心線３０の左側に存在する開口部は、ミシン目６０とミシン目６２と折れ線６４とで囲まれた領域内に存在する。
【００７８】
例えば、開口部５４ａは、足長が２３．０ｃｍ以上２４．０ｃｍ未満の場合に対応するので、３つの開口部５４ａにおける１つの開口部５４ａは、中心線３０の右側に存在するとともに、足長が２３．０ｃｍの足型の内側に形成する。また、２つの開口部５４ａは、中心線３０の左側で、ミシン目６０とミシン目６２と折れ線６４とで囲まれた領域内に存在する。
【００７９】
なお、直線５２ａ〜５２ｇにおける互いに隣接する２つの直線と平行な直線で２つの直線の中間にある直線は、開口部５４ａ〜５４ｆにおける３つの開口部間の方向を示す仮想上の直線といえるが、該直線が中心線３０と交差する位置が踵側の基端点から対応する足長に対して５１．０〜６１．０％の割合の位置にあり、中心線３０のつま先側の方向と該３つの開口部間の方向の足の配置位置に対する内側の方向とがなす角度が、７５．５〜８５．５度となるように、開口部５４ａ〜５４ｆが形成されているといえる。
【００８０】
なお、開口部５４ａ〜５４ｆにおける各開口部は、対応する一対の直線内の領域に形成しなくても、該一対の直線内の領域から略均等にはみ出すように形成してもよい。つまり、メジャー部２３０、２４０、２５０の幅に従いメジャー部を開口部に挿通しやすくするために、開口部が配置される一対の直線内の領域から略均等にはみ出すように形成してもよい。例えば、開口部５４ａは、直線５２ａと直線５２ｂ間の領域に形成されているが、直線５２ａの下側と直線５２ｂの上側に略均等にはみ出すように形成してもよい。
【００８１】
また、ミシン目６０は、直線５２ａの下側（Ｘ２側）に直線５２ａと平行に形成され、本体部領域５の左端から所定の長さに形成されている。また、ミシン目６２は、直線５２ｇの上側（Ｘ１側）に直線５２ｇと平行に形成され、本体部領域５の左端から所定の長さに形成されている。また、折れ線６４は、ミシン目６０と右端とミシン目６２の右端とを結ぶように形成されていて、直線５２ａ〜５２ｇに対して所定の角度に形成されている。すなわち、折れ線６４が中心線３０の方向となす角度Ｕ１は、β１−Ｕ１＝７１〜８１度（好適には、７６度）（＝Ｕ２）となるように形成されている。例えば、β１が８０．５度で、β１−Ｕ１を７６度とする場合には、Ｕ１は４．５度となる。つまり、β１を８０．５度とするとともに、Ｕ１を４．５度とすれば、甲回りを測定する際に、メジャー部を足の甲に巻き付けた際に、メジャー部が本体領域部５の上面となす角度Ｕ２（図１２参照）を７６度することができ、好適とすることができる。つまり、甲回りの測定に際して角度Ｕ２が７１度〜８１度が好適であることは出願人が試行錯誤の結果見い出したものであり、結果、β１を８０．５度とした場合には、Ｕ１は、９．５度〜−０．５度であることが好ましいといえる。
【００８２】
なお、この折れ線６４は、直線群５２を構成する直線５２ａ〜５２ｇにおける各直線と交差する点が該直線と対応する足型よりも内側となるように構成されている。例えば、折れ線６４と直線５２ａとが交差する点は、足長２３．０ｃｍに対応する足型よりも内側になるように折れ線を形成する。
【００８３】
以上のように、ミシン目６０と、ミシン目６２と、折れ線６４と、測定具本体部１Ａと測定具副体部１Ｂ間のミシン目により、巻付け部６６が構成される。つまり、ミシン目６０と、ミシン目６２と、折れ線６４と、測定具本体部１Ａと測定具副体部１Ｂ間のミシン目により囲まれた片部が巻付け部６６となり、この巻付け部６６は、甲回りの測定に際して足裏の土踏まずの位置で巻き付くことになる。ここで、足裏に土踏まずが設けられている場合には、以下で説明するように、土踏まずと本体領域部５間の空き空間を考慮して甲回りを測定することができる。
【００８４】
なお、各直線と交差する点は、該直線と対応する足型よりも若干外側にあってもよく、例えば、各直線と交差する点が該直線と対応する足型より１ｃｍ小さい足型に対応する直線よりも内側となるように構成してもよい。例えば、折れ線６４と直線５２ｂとが交差する点は、足長２４．０ｃｍよりも１ｃｍ小さい足長２３．０ｃｍに対応する足型よりも内側になるように折れ線を形成するようにしてもよい。
【００８５】
なお、足サイズ測定具１が女性用の場合には、男性用の場合と略同様であるが、角度β１の代わりに角度β２を用い、角度β２は７４．５〜８４．５度（好適には、７９．５度）となる。直線群５２を構成する各直線が中心線となす角度が異なる以外は男性用の場合と同様であるので詳しい説明を省略する。
【００８６】
なお、上記の足囲測定部４０の直線群４２における各直線を形成するための足長に対する割合（Ｍ１％）や、中心線に対する角度（α１、α２）や、上記の甲回り測定部５０の直線群５２における各直線を形成するための足長に対する割合（Ｍ２％）や、中心線に対する角度（β１、β２）は、出願人が試行錯誤を重ねながら足囲や甲回りを正確に測定するために見出したものである。つまり、上記割合や角度を外れて測定した足囲や甲回りにより靴を製造すると、足囲や甲回りを正確に測定していないので、足に合った靴を製造することができず、上記割合や角度に従って測定した足囲や甲回りにより靴を製造する場合には、足囲や甲回りを正確に測定するので、足に合った靴を製造することができる。
【００８７】
なお、上記足囲測定部４０と甲回り測定部５０において、同じ足長に対応する領域に同じ色を付してメジャー部２３０等を取り付ける位置を分かりやすくするのが好ましい。例えば、直線４２ａと直線４２ｂ間の領域と、直線５２ａと直線５２ｂ間の領域とに同じ色（第１の色）を付し、直線４２ｂと直線４２ｃ間の領域と、直線５２ｂと直線５２ｃ間の領域とに同じ色（第２の色）を付し、直線４２ｃと直線４２ｄ間の領域と、直線５２ｃと直線５２ｄ間の領域とに同じ色（第３の色）を付し、直線４２ｄと直線４２ｅ間の領域と、直線５２ｄと直線５２ｅ間の領域とに同じ色（第４の色）を付し、直線４２ｅと直線４２ｆ間の領域と、直線５２ｅと直線５２ｆ間の領域とに同じ色（第５の色）を付し、直線４２ｆと直線４２ｇ間の領域と、直線５２ｆと直線５２ｇ間の領域とに同じ色（第６の色）を付すようにする。
【００８８】
なお、上記開口部４４ａ〜４４ｆと、上記開口部５４ａ〜５４ｆは、円形でなくてもよく、メジャー部を挿通することができる開口部であればよい。また、上記開口部４４ａ〜４４ｆと、上記開口部５４ａ〜５４ｆは、開口部の代わりに、メジャー部を挿通できる切込みとしてもよい。
【００８９】
また、記入欄６８は、測定した足長や、足囲や、甲回りを記入するための記入欄であり、氏名も記入できるようになっている。
【００９０】
次に、本体領域部５の裏側の面に設けられた足型表示部１１０と、足長測定部１２０と、足囲測定部１４０と、甲回り測定部１５０と、記入欄１６８とは、本体領域部５の表側の面に設けられた各部と左右対称である以外は同様の構成であるので、詳しい説明は省略する。
【００９１】
なお、本体領域部５の裏側の面は、左足用のものであるので、足型表示部１１０における足型も左足の形状に形成されている。
【００９２】
また、足囲測定部１４０と甲回り測定部１５０における各開口部は、足囲測定部４０と甲回り測定部５０における開口部と表側と裏側とで共通していることになる。
【００９３】
次に、踵当て部７０は、足サイズを測定する際に踵の側面（具体的には、踵の後端部）を当てるための部材であり、測定具本体部１Ａの下側領域に切断用のミシン目と折れ線を形成することにより組立て可能に形成されている。
【００９４】
すなわち、踵当て部７０は、底面板部７２と、傾斜板部７４と、垂直板部７６と、水平板部７８と、垂直板部８０と、垂直板部８２とを有している。
【００９５】
ここで、底面板部７２は、本体領域部５の下端から本体領域部５との境界線Ｓ１を介して連設されている。この境界線Ｓ１は、中心線３０に対して直角の方向（Ｙ１−Ｙ２方向）に形成されている。この底面板部７２は、傾斜板部７４とは直線状の折れ線を介して形成され、また、垂直板部８０、８２とは、凹凸状のミシン目Ｓ１３を介して形成されている。
【００９６】
また、傾斜板部７４は、底面板部７２の下端から折れ線Ｓ２を介して連設され、略長方形状を呈している。傾斜板部７４と底面板部７２との境界の折れ線Ｓ２はＹ１−Ｙ２方向を向いていて、傾斜板部７４の幅（すなわち、Ｘ１−Ｘ２方向の幅）は、底面板部７２の幅Ｔに対して２の平方根（ただし、正の数）を乗算した値となっている。
【００９７】
また、垂直板部７６は、傾斜板部７４の下端から折れ線Ｓ３を介して連設され、略長方形状を呈している。垂直板部７６と傾斜板部７４との境界の折れ線Ｓ３はＹ１−Ｙ２方向を向いていて、垂直板部７６の幅（すなわち、Ｘ１−Ｘ２方向の幅）は、底面板部７２の幅（すなわち、Ｘ１−Ｘ２方向の幅）と略同一となっている。
【００９８】
また、水平板部７８は、垂直板部７６の下端から折れ線Ｓ４を介して連設され、略長方形状を呈している。水平板部７８と垂直板部７６との境界の折れ線Ｓ４はＹ１−Ｙ２方向を向いていて、水平板部７８の幅（すなわち、Ｘ１−Ｘ２方向の幅）は、底面板部７２の幅（すなわち、Ｘ１−Ｘ２方向の幅）と略同一となっている。
【００９９】
また、垂直板部８０は、本体領域部５とは、Ｙ１−Ｙ２方向のミシン目Ｓ１１と、Ｘ１−Ｘ２方向に対して傾斜した方向の折れ線Ｓ１２を介して隣接し、ミシン目Ｓ１３を介して底面板部７２と隣接している。このミシン目Ｓ１３は、凹凸状を呈し、折れ線Ｓ１２に対して直角のミシン目Ｓ１３ａと、ミシン目Ｓ１３ａに対して略４５度（丁度４５度としてもよい）を呈するミシン目Ｓ１３ｂと、Ｙ１−Ｙ２方向に形成されたミシン目Ｓ１３ｃを連ねて形成されている。
【０１００】
また、垂直板部８２は、本体領域部５とは、Ｙ１−Ｙ２方向のミシン目Ｓ２１と、Ｘ１−Ｘ２方向に対して傾斜した方向の折れ線Ｓ２２を介して隣接し、ミシン目Ｓ２３を介して底面板部７２と隣接している。このミシン目Ｓ２３は、凹凸状を呈し、折れ線Ｓ２２に対して直角のミシン目Ｓ２３ａと、ミシン目Ｓ２３ａに対して略４５度（丁度４５度としてもよい）を呈するミシン目Ｓ２３ｂと、Ｙ１−Ｙ２方向に形成されたミシン目Ｓ２３ｃを連ねて形成されている。
【０１０１】
踵当て部７０を以上のように構成することにより、底面板部７２と、傾斜板部７４と、垂直板部７６と、水平板部７８とを巻回状態にして三角形状の筒状とし、垂直板部８０、８２を係止させることにより、図９に示すように組み立てることができ、これにより、垂直板部７６、８０、８２を踵を当てる壁面とすることができる。なお、底面板部７２と、傾斜板部７４と、垂直板部７６と、水平板部７８とで上記三角筒状部が構成され、また、垂直板部８０と垂直板部８２が上記押え部を構成する。
【０１０２】
次に、測定具副体部１Ｂの各部について説明する。測定手順・問診票表示部２００は、測定具副体部１Ｂの上側に設けられ、略長方形状を呈し、その表側には、測定手順説明表示部２０２が設けられ、裏側には、問診票・カルテ表示部２０４が設けられている。
【０１０３】
ここで、測定手順説明表示部２０２は、足サイズ測定具１を使用した測定手順の説明を記載したものである。記載内容としては、例えば以下の内容が挙げられる。すなわち、「１，本台紙左右の切り取り式メジャーをミシン目に沿って切り離して下さい。２，本台紙の中心のミシン目に沿って足サイズ測定具を２つに分離して下さい。３，足型が表示されている方の下部に設けられた踵当て部をミシン目に沿って切るとともに折れ線に沿って折り曲げて組み立てます。４，椅子に座り、組み立てた踵当て部に踵をピッタリとつけて足先の一番長い部分を中心線に合わせて足長を測ります。５，測った足長に合わせて、足囲測定部と甲回り測定部にメジャーを取り付けます。６，メジャーを足に巻いて足囲を測ります。７，メジャーを足に巻いて甲回りを測ります。８，測定したサイズとともに、問診票・カルテに記入して下さい。」とする。
【０１０４】
また、問診票・カルテ表示部２０４は、図５に示すように構成され、名前、住所等の被測定者の情報と、右足と左足のそれぞれについて測定した足長、足囲、甲回りの値（足囲と甲回りについては、力を入れた状態と力を入れずに置いた状態の２つを記入できるようになっている）と、足型の選択（母趾が長い、第２趾が長い、四角形型）や、甲の高さ（甲が薄い、甲の高さは普通、甲が高い）や、足の疾患や、足の痛みがある箇所と、靴の申告サイズと、サイズの好み（小さめに履く、ジャストサイズに履く、大きめに履く、かなり大きめに履く）等を記入することができるようになっている。
【０１０５】
次に、はがき部２１０は、表側の面が、宛先を記入できるとともに、差出し人の住所、名前、電話番号等の被測定者の情報と、測定日の情報を記入する記入枠が設けられ、また、裏側の面には、問診票・カルテ表示部２０４と同様の内容が表示され、問診票・カルテ表示部２０４において記入できる内容と同様の内容を記入できるようになっている。つまり、はがき部２１０の裏面は、図６に示すように構成されている。
【０１０６】
また、測定補助パーツ２２０は、複数（具体的には、３つ）の個別補助パーツ２２２がミシン目を介して分離可能に連設して設けられ、一対の開口部（半円状の開口部）２２４がＸ１−Ｘ２方向に所定の間隔を介して並設されているとともに、一対の開口部２２４に隣接して一対の開口部（半円状の開口部）２２６がＸ１−Ｘ２方向に所定の間隔（一対の開口部２２４と略同一の間隔）を介して並設されている。なお、一対の開口部２２６のうちの１つの開口部２２６は、Ｘ１−Ｘ２方向には、一対の開口部２２４の略中間位置に設けられている。
【０１０７】
また、メジャー部２３０とメジャー部２４０は、測定具副体部１Ｂの測定具本体部１Ａとは反対側の長手辺に沿って形成されていて、メジャー部２３０は、測定具副体部１Ｂを介して（つまり、測定手順・問診票表示部２００及び測定補助パーツ２２０とミシン目を介して）形成され、帯状に形成されている。また、メジャー部２４０は、メジャー部２３０とミシン目を介して形成され、帯状に形成されている。メジャー部２３０とメジャー部２４０とは、同大同形状に形成され、メジャー部２３０とメジャー部２４０の表面には、寸法を測るための目盛りが形成されている。このメジャー部２３０とメジャー部２４０は、開口部４４ａ〜４４ｆや開口部５４ａ〜５４ｆに挿通可能な幅に形成されている。
【０１０８】
また、メジャー部２５０は、測定具本体部１Ａの測定具副体部１Ｂとは反対側の長手辺に沿って形成されていて、測定具本体部１Ａとミシン目を介して（つまり、本体領域部５及び踵当て部７０とミシン目を介して）形成され、帯状に形成されている。このメジャー部２５０の表面には、寸法を測るための目盛りが形成されている。このメジャー部２５０は、開口部４４ａ〜４４ｆや開口部５４ａ〜５４ｆに挿通可能な幅に形成されている。
【０１０９】
上記構成の足サイズ測定具１の使用状態について説明する。足サイズの測定に当たっては、男性は男性用の足サイズ測定具を使用し、女性は女性用の足サイズ測定具を使用する。
【０１１０】
足サイズ測定具１の使用に当たっては、測定手順説明表示部２０２に記載された説明を見ながら測定を行うが、具体的には、まず、メジャー部２５０とメジャー部２３０とメジャー部２４０のうちの２つのメジャー部をミシン目に沿って切り離す。例えば、メジャー部２５０とメジャー部２３０とをミシン目に沿って切り離す。
【０１１１】
次に、測定部本体部１Ａと測定部副体部１Ｂ間のミシン目を介して、測定部本体部１Ａと測定部副体部１Ｂとを分離する。
【０１１２】
次に、測定部本体部１Ａにおける踵当て部７０をミシン目に沿って切るとともに、踵当て部７０を折れ線に沿って折り曲げて組み立てる。つまり、ミシン目Ｓ１１とミシン目Ｓ１３を切断して垂直板部８０を立設可能な状態にするとともに、ミシン目Ｓ２１とミシン目Ｓ２３を切断して垂直板部８２を立設可能な状態にしておき、傾斜板部７４と垂直板部７６と水平板部７８とを折れ線Ｓ２、Ｓ３、Ｓ４を介して折り曲げて三角形状の筒状に形成する。
【０１１３】
つまり、右足の測定を行った後に左足の測定を行う場合を例に取ると、測定具本体部１Ａの表側の面（つまり、足型表示部１０と、中心線３０と、足長測定部２０と、足囲測定部４０と、甲回り測定部５０等が設けられている面）を上側にして、図９に示すように、傾斜板部７４と垂直板部７６と水平板部７８とからなる部材を折り曲げて筒状とする。この筒状形状の断面は、直角二等辺三角形となる。その際、底面板部７２の上面と水平板部７８の底面とは互いに接していることになる。
【０１１４】
その後、垂直板部８０に形成された切欠部（つまり、ミシン目Ｓ１３ａに沿った辺部と、ミシン目Ｓ１３ｂに沿った辺部とにより形成された切欠部）を三角形状の筒状部の上側の角部に係止させるとともに、垂直板部８２に形成された切欠部（つまり、ミシン目Ｓ２３ａに沿った辺部と、ミシン目Ｓ２３ｂに沿った辺部とにより形成された切欠部）を三角形状の筒状部の上側の角部に係止させて、図９に示すように、垂直板部７６と垂直板部８０と垂直板部８２とが本体領域部５に対して垂直の状態に固定された状態とする。以上のようにして、踵当て部７０を組み立てる。
【０１１５】
踵当て部７０の組立てが完了したら、椅子に座り、踵当て部７０の垂直板部７６に右足の踵の後ろ側（つまり、後端位置）を当てるとともに、足先の一番長い部分を中心線３０に合わせる。つまり、人間の足は通常母趾と第２趾のいずれかが足先において最も突出しているが、最も突出した部分を中心線３０に合わせる。そして、その状態で、踵の後端位置に対応するから最も突出している部分までの長さを足長測定部２０における目盛り表示部３２により測定して、足長を測定する（足長測定工程）。測定した足長の値は、記入欄６８に記入する。
【０１１６】
次に、測定した足長に合わせて、足囲測定部４０と甲回り測定部５０にメジャー部を取り付ける。
【０１１７】
つまり、図９に示すように、足囲測定部４０における、測定した足長に対応した位置の開口部にメジャー部を挿入する。開口部への挿入に当たっては、一対の開口部における右側の切込み部に対して右側（Ｙ２側）から挿入して、本体領域部５の下側を潜り、左側の開口部から左側（Ｙ１側）に露出するように取り付ける。つまり、一対の開口部の左右両側からはメジャー部が露出し、一対の開口部間においては、本体領域部５の下側になるようにする。足長に対応した開口部としては、足長が２３．０ｃｍ以上２４．０ｃｍ未満の場合には、メジャー部を開口部４４ａに挿入し、足長が２４．０ｃｍ以上２５．０ｃｍ未満の場合には、メジャー部を開口部４４ｂに挿入し、足長が２５．０ｃｍ以上２６．０ｃｍ未満の場合には、メジャー部を開口部４４ｃに挿入し、足長が２６．０ｃｍ以上２７．０ｃｍ未満の場合には、メジャー部を開口部４４ｄに挿入し、足長が２７．０ｃｍ以上２８．０ｃｍ未満の場合には、メジャー部を開口部４４ｅに挿入し、足長が２８．０ｃｍ以上２９．０ｃｍ未満の場合には、メジャー部を開口部４４ｆに挿入する。メジャー部の取付けに当たっては、測定時に目盛りが目視できるように、目盛りを裏側にして取り付ける。また、個別補助パーツ２２２を使用する場合を考慮して、目盛りが０の側を右側としてメジャー部を取り付けるのが好ましい。なお、図９は、メジャー部２４０を開口部４４ａに挿入した例を示している。なお、メジャー部２４０ではなく、他のメジャー部でもよい。
【０１１８】
また、図９に示すように、甲回り測定部５０における、測定した足長に対応した位置の開口部にメジャー部を挿入する。開口部への挿入に当たっては、３つの開口部における最も右側の開口部に対して右側（Ｙ２側）から挿入して、本体領域部５の下側を潜り、真ん中の位置の開口部から左側（Ｙ１側）に露出し、さらに、最も左側の開口部から下側に潜るように取り付ける。足長に対応した開口部としては、足長が２３．０ｃｍ以上２４．０ｃｍ未満の場合には、メジャー部を開口部５４ａに挿入し、足長が２４．０ｃｍ以上２５．０ｃｍ未満の場合には、メジャー部を開口部５４ｂに挿入し、足長が２５．０ｃｍ以上２６．０ｃｍ未満の場合には、メジャー部を開口部５４ｃに挿入し、足長が２６．０ｃｍ以上２７．０ｃｍ未満の場合には、メジャー部を開口部５４ｄに挿入し、足長が２７．０ｃｍ以上２８．０ｃｍ未満の場合には、メジャー部を開口部５４ｅに挿入し、足長が２８．０ｃｍ以上２９．０ｃｍ未満の場合には、メジャー部を開口部５４ｆに挿入する。メジャー部の取付けに当たっては、測定時に目盛りが目視できるように、目盛りを裏側にして取り付ける。また、個別補助パーツ２２２を使用する場合を考慮して、目盛りが０の側を右側としてメジャー部を取り付けるのが好ましい。なお、図９は、メジャー部２５０を開口部５４ａに挿入した例を示している。なお、メジャー部２５０ではなく、他のメジャー部でもよい。
【０１１９】
また、ミシン目６０とミシン目６２とを切断しておき、巻付け部６６を立設可能な状態としておく。
【０１２０】
次に、図１０に示すように、メジャー部２４０を足に巻いて足囲を測定する（足囲測定工程）。測定に当たっては、開口部に取り付けられたメジャー部２４０の方向に従ってそのまま上方に巻き付けて、測定を行う。このようにすることにより、足の足囲は、本来、母趾の付け根の骨のふくらみにおいて最も内側に突出している点と、小趾の付け根の骨のふくらみにおいて最も外側に突出ている点とを通るように計測した値であるが、足囲測定部４０を構成する直線群４２が出願人が見出した足長との割合と中心線との角度に従い形成されているので、それに極めて近い値を得ることができる。この足囲測定工程では、平面視における足の踵の後端点から、足長測定工程により測定した足長に対してＭ１％（具体的には、６１．５〜７１．５％（好適には６６．５％））の割合の位置で、前後方向直線部のつま先側の方向と足囲を測定するためのメジャー部の足の配置位置に対する内側の方向とがなす角度が、男性用の場合は角度α１（６９．０〜７９．０度（好適には、７４．０度））で、女性用の場合は角度α２（６８．０〜７８．０度（好適には、７３．０度））となるように、メジャー部を配置して足囲を測定している。測定した足囲の値は、記入欄６８に記入する。
【０１２１】
また、図１１、図１２に示すように、メジャー部２５０を足に巻いて甲回りを測定する（甲回り測定工程）。この甲回り測定工程では、平面視における足の踵の後端点から、足長測定工程により測定した足長に対してＭ２％（具体的には、５１．０〜６１．０％（好適には５６．０％））の割合の位置で、前後方向直線部のつま先側の方向と足囲を測定するためのメジャー部の足の配置位置に対する内側の方向とがなす角度が、男性用の場合は角度β１（７５．５〜８５．５度（好適には、８０．５度））で、女性用の場合はβ２（７４．５〜８４．５度（好適には、７９．５度））となるように、メジャー部を配置して甲回りを測定している。このようにすることにより、足の甲回りは、本来、中足骨の中間点と土踏まず部分を通るように計測した値であるが、甲回り測定部５０を構成する直線群５２が出願人が見出した足長との割合と中心線との角度に従い形成されていて、かつ、巻付け部６６を構成する折れ線６４は、中心線に対して上記の角度に形成されて、角度Ｕ２を７１〜８１度にして測定できるので、それに極めて近い値を得ることができる。特に、巻き付けたメジャー部２５０の側面視における本体領域部５に対する角度により甲回りの測定値は大きく変動するので、上記のようにメジャー部２５０を巻き付ける角度Ｕ２を特定することにより、正確に甲回りを測定することができる。測定した甲回りの値は、記入欄６８に記入する。
【０１２２】
また、左足についても、右足の場合と同様に測定を行う。なお、踵当て部７０の組立てに当たっては、測定具本体部１Ａの裏側の面（つまり、足型表示部１１０と、足長測定部１２０と、足囲測定部１４０と、甲回り測定部１５０等が設けられている面）を上側にして組立てを行なう。
【０１２３】
また、足囲の測定や、甲回りの測定に際しては、本体領域部５の裏側の面は、表側の面とは左右対称に形成されているので、メジャー部の取付けは、上記右足の場合と比べて左右対称に行う。
【０１２４】
そして、測定した値を問診票・カルテ表示部２０４に記入し、他の記入箇所にも記入を行う。記入の完了した問診票・カルテ表示部２０４は、主として、靴のオーダーメイドに使用する。また、はがき部２１０は、郵送によってオーダーメイドをする場合に使用する。
【０１２５】
上記構成の足サイズ測定具１によれば、足囲測定部４０や甲回り測定部５０が上記のように構成されていて、特に、足囲測定部４０を構成する直線群４２が本願の発明者が見出した足長との割合と中心線との角度に従い形成されており、また、甲回り測定部５０を構成する直線群５２が出願人が見出した足長との割合と中心線との角度に従い形成されているので、極めて正確に足囲と甲回りを測定することができる。
【０１２６】
また、甲回り測定部５０には、巻付け部６６が設けられていて、メジャー部は巻付け部６６に設けられた開口部に挿通されているので、メジャー部を足に巻くと、巻付け部６６が立ち上がって、足の土踏まずの下側に空間を形成しつつ足に巻き付く。これにより、巻付け部が立ち上がって、足の土踏まずの下側に空間を形成しつつ足に巻き付く。これにより、靴の内壁の径を設定する場合に、通常足の土踏まずの下側に空間を形成するが、この空間を考慮して甲回りを測定することができ、より適切に甲回りを測定することができる。
【０１２７】
また、甲回り測定部５０においては、巻付け部６６を構成する折れ線６４は、中心線に対して上記の角度に形成されて、角度Ｕ２を７１〜８１度にして測定できるので、甲回りを正確に測定することができる。
【０１２８】
また、上記構成の足サイズ測定具１においては、踵当て部７０が設けられているので、足長、足囲、甲回りの測定に際して基点となる踵点Ｇ（厳密には、踵点Ｇを含む折れ線Ｓ１のライン）に踵の後端を正確に位置させることができ、足長、足囲、甲回りの測定を正確に行うことができる。特に、上記特許文献１におけるように踵点Ｇの位置に電話帳等の硬い部材をおいて測定する場合には、踵が硬い部材の側面に押されてへこんでしまい、踵を正確に踵点に位置させることができないが、本実施例の場合には、垂直板部７６に踵を強く押さえると、その分足サイズ測定具１が移動するので、踵を垂直板部７６に対してソフトなタッチで接した状態とすることができ、これにより、踵を踵点Ｇに正確に位置させて、足長、足囲、甲回りの測定を正確に行うことができる。
【０１２９】
また、踵当て部７０は、底面板部７２と、傾斜板部７４と、垂直板部７６と、水平板部７８とを筒状にして、垂直板部８０と垂直板部８２を掛止するのみで、組み立てることができるので、踵当て部７０の組立てを非常に容易に行うことができる。
【０１３０】
なお、上記の説明においては、足サイズ測定具１は、紙材により形成されているとして説明したが、他の素材（例えば、樹脂）により形成されたものでもよい。
【０１３１】
また、上記のように、上記の足囲測定部４０の直線群４２における各直線を形成するための足長に対する割合（Ｍ１％）や、中心線に対する角度（α１、α２）や、上記の甲回り測定部５０の直線群５２における各直線を形成するための足長に対する割合（Ｍ２％）や、中心線に対する角度（β１、β２）は、出願人が試行錯誤を重ねながら足囲や甲回りを正確に測定するために見出したものであるが、この足長に対する割合や中心線に対する角度を用いることにより、ＣＡＤによる木型の作成に応用することが可能である。つまり、ＣＡＤにより木型を作成する場合には、足長と、足囲と、ヒールの高さ等のデータを入力するが、その際、足囲を設定する位置と角度を上記足長に対する割合や中心線に対する角度に設定することにより、木型の作成に応用することができる。
【０１３２】
なお、上記踵当て部７０は、上記のように組み立てる構成のものであるとして説明したが、予め成形されたものでもよい。すなわち、図１４に示す足サイズ測定具１’は、本体領域部５と、踵当て部７０’とを有していて、本体領域部５には、上記の場合と同様に、足型表示部１０と、足長測定部２０と、足囲測定部４０と、甲回り測定部５０と、記入欄６８とを有しており、本体領域部５は、図１等に示す本体領域部５と同様の構成である。
【０１３３】
そして、踵当て部７０’は、垂直板部３００と、垂直板部３０２と、垂直板部３０４と、補強板部３０６と、補強板部３０８とを有し、本体領域部５と一体に成形された構成となっている。
【０１３４】
すなわち、垂直板部３００は、本体領域部５の下端から垂直に立設している板状部材であり、この垂直板部３００は、本体領域部５側に中心線３０に対して垂直な面を有して、中心線３０は、この垂直板部３００に対して垂直となっている。つまり、図１の例に対応させて説明すれば、境界線Ｓ１の位置に垂直板部３００が設けられているといえる。
【０１３５】
また、垂直板部３０２は、本体領域部５の台形形状の踵側の領域の一方の側辺から本体領域部５に対して立設されていて、垂直板部３００と接続されている。また、垂直板部３０４は、本体領域部５の台形形状の踵側の領域の他方の側辺から本体領域部５に対して立設されていて、垂直板部３００と接続されている。つまり、図１の例に対応させて説明すれば、折れ線Ｓ１２の位置に垂直板部３０２が設けられ、折れ線Ｓ２２の位置に垂直板部３０４が設けられているといえる。
【０１３６】
また、補強板部３０６は、垂直板部３０２の端部に連設され、本体領域部５の台形形状の領域を除く下端辺部の一方から立設しており、略三角形状の板状を呈している。この補強板部３０６は、垂直板部３０２を補強するためのものである。また、補強板部３０８は、垂直板部３０４の端部に連設され、本体領域部５の台形形状の領域を除く下端辺部の他方から立設しており、略三角形状の板状を呈している。この補強板部３０８は、垂直板部３０４を補強するためのものである。つまり、図１の例に対応させて説明すれば、ミシン目Ｓ１１の位置に補強板部３０６がが設けられ、ミシン目Ｓ２１の位置に補強板部３０８が設けられているといえる。
【０１３７】
なお、この足サイズ測定具１’の素材としては、紙材でもよいが、他の素材でもよく、例えば、樹脂としてもよい。ただし、巻付け部６６が湾曲する必要があるので、軟弱性のある樹脂とする必要がある。また、足サイズ測定具１’を硬質の樹脂により形成する場合は、巻付け部１’を他の湾曲可能な部材で形成する必要がある。
【０１３８】
また、図１４に示す例は、右足用の足サイズ測定具であるので、左足用についても同様に踵当て部を図１４に示すように予め成形された状態に構成する。
【図面の簡単な説明】
【０１３９】
【図１】本発明の実施例に基づく足サイズ測定具の構成を示す平面図である。
【図２】本発明の実施例に基づく足サイズ測定具の構成を示す底面図である。
【図３】本発明の実施例に基づく足サイズ測定具の要部の構成を示す平面図である。
【図４】本発明の実施例に基づく足サイズ測定具の要部の構成を示す平面図である。
【図５】問診票・カルテ表示部の構成を示す平面図である。
【図６】はがき部の裏側の面の表示内容を示す説明図である。
【図７】男性用の足サイズ測定具における足囲測定部と甲回り測定部の形成の方法を説明するための説明図である。
【図８】女性用の足サイズ測定具における足囲測定部と甲回り測定部の形成の方法を説明するための説明図である。
【図９】本発明の足サイズ測定具の使用方法を示す斜視図である。
【図１０】本発明の足サイズ測定具の使用方法を示す斜視図である。
【図１１】本発明の足サイズ測定具の使用方法を示す斜視図である。
【図１２】本発明の足サイズ測定具の使用方法を示す側面図である。
【図１３】測定補助パーツの使用方法を示す説明図である。
【図１４】本発明の他の実施例に基づく足サイズ測定具の構成を示す斜視図である。
【符号の説明】
【０１４０】
１  足サイズ測定具
１Ａ  測定具本体部
１Ｂ  測定具副体部
５  本体領域部
１０、１１０  足型表示部
２０、１２０  足長測定部
３０、１３０  中心線
３２  直線
４０、１４０  足囲測定部
４２  直線群
４２ａ〜４２ｇ  直線
４４ａ〜４４ｆ  開口部
５０、１５０  甲回り測定部
５２  直線群
５２ａ〜５２ｇ  直線
５４ａ〜５４ｆ  開口部
６０、６２  ミシン目
６４  折れ線
６６  巻付け部
６８  記入欄
７０、７０’  踵当て部
７２  底面板部
７４  傾斜板部
７６、８０、８２  垂直板部
７８  水平板部
２００  測定手順・問診票表示部
２０２  測定手順説明表示部
２０４  問診票・カルテ表示部
２１０  はがき部
２２０  測定補助パーツ
２２２  個別補助パーツ
２２４  開口部
２３０、２４０、２５０  メジャー部
【図１】
2008206916.tif 000003
【図２】
2008206916.tif 000004
【図３】
2008206916.tif 000005
【図４】
2008206916.tif 000006
【図５】
2008206916.tif 000007
【図６】
2008206916.tif 000008
【図７】
2008206916.tif 000009
【図８】
2008206916.tif 000010
【図９】
2008206916.tif 000011
【図１０】
2008206916.tif 000012
【図１１】
2008206916.tif 000013
【図１２】
2008206916.tif 000014
【図１３】
2008206916.tif 000015
【図１４】
2008206916.tif 000016